(57)【要約】【課題】本の厚さに対応させて取り付けることができるブックカバーを提供する。【解決手段】矩形状のシート材１２で形成され、上下の長辺部１３、１３と両端の短辺部１４ａ、１４ｂとを有するブックカバー１１であって、該ブックカバー１１は、シート材１２の４辺を内側に折り返し、該折り返した折返し片１５、１６、１７、１８がシート材１２の内側に縫着され、一方の短辺部１４ａ側は、シート材１２を適宜幅内側に折り曲げて、当該折り曲げた部位２０の上下の縁部２０ａ、２０ｂを縫着して袋状部２２が形成され、長辺部１３は、折返し片１５、１６の内側で且つ他方の短辺部１４ｂ寄りに折り曲げ自在なワイヤー２３が配設されている。【選択図】図１
0003161613.tif 000002
【実用新案登録請求の範囲】
【請求項１】
矩形状のシート材で形成され、上下の長辺部と両端の短辺部とを有するブックカバーであって、
該ブックカバーは、前記シート材の４辺を内側に折り返し、該折り返した折返し片がシート材の内側に縫着され、
一方の短辺部側は、前記シート材を適宜幅内側に折り曲げて、当該折り曲げた部位の上下の縁部を縫着して袋状部が形成され、
前記長辺部は、前記折返し片の内側で且つ他方の短辺部寄りに折り曲げ自在なワイヤーが配設されていること
を特徴とするブックカバー。
【請求項２】
前記シート材の表面には、模様、絵柄、又は着色が施されていること
を特徴とする請求項１に記載のブックカバー。
【考案の詳細な説明】
【技術分野】
【０００１】
本考案は、ブックカバーに関するものであり、更に詳しくは、本の厚さに対応させて取り付けることができるブックカバーに関するものである。
【背景技術】
【０００２】
従来、本の厚さに対応させて取り付けることができるブックカバーとしては、次のような構成のフリーサイズブックカバーが知られている。このフリーサイズブックカバーは、矩形状に形成されたカバー本体の上下両端部及び左右両端部が任意幅折り曲げ自在に形成され、当該折り曲げる部位の内側に複数の面ファスナーが設けられた構成である（特許文献１参照）。
【０００３】
このような構成のフリーサイズブックカバーは、本のサイズに合わせてカバー本体の上下両端部及び左右両端部を折り曲げ、この折り曲げた部位を面ファスナーで留めて、サイズ合わせを行う。そして、本の表紙から背表紙を介して裏表紙に渡って取り付ける。
【先行技術文献】
【特許文献】
【０００４】
【特許文献１】特開２００４−９８６６５号公報
【考案の概要】
【考案が解決しようとする課題】
【０００５】
この従来例のフリーサイズブックカバーにおいては、カバー本体の上下両端部及び左右両端部を折り曲げて面ファスナーで留めて、サイズ合わせを行う必要があり、この作業が案外面倒であるという問題点を有している。
【０００６】
また、フリーサイズブックカバーの製造時においては、カバー本体の折り曲げる部位の内側に複数の面ファスナーを縫着等の手段で取り付けるので、その取付作業は厄介で製造コストが高くなるというという欠点を有している。
【０００７】
従って、従来例におけるフリーサイズブックカバーにおいては、本に簡単に取り付けることができるようにすることと、製造コストを抑えることとに解決しなければならない課題を有している。
【課題を解決するための手段】
【０００８】
前記従来例の課題を解決するための本考案の要旨は、矩形状のシート材で形成され、上下の長辺部と両端の短辺部とを有するブックカバーであって、該ブックカバーは、前記シート材の４辺を内側に折り返し、該折り返した折返し片がシート材の内側に縫着され、一方の短辺部側は、前記シート材を適宜幅内側に折り曲げて、当該折り曲げた部位の上下の縁部を縫着して袋状部が形成され、前記長辺部は、前記折返し片の内側で且つ他方の短辺部寄りに折り曲げ自在なワイヤーが配設されていることである。
【０００９】
また、前記シート材の表面には、模様、絵柄、又は着色が施されている構成としたものである。
【考案の効果】
【００１０】
本考案に係るブックカバーによれば、長辺部に折り曲げ自在なワイヤーが配設されているので、本の厚さに対応させてブックカバーを自在に折り曲げることができる。この場合は、ワイヤーがブックカバーの折り曲げ形状を維持するので、当該ブックカバーが本から脱落し難い構造となる。
ブックカバーの取付けは、本の表紙（又は裏表紙）を袋状部に挿入し、長辺部のワイヤーを裏表紙（又は表紙）に沿わせて折り曲げてブックカバーを折り込むので、簡単に取り付けることができる。
更に、ブックカバーの製造は、従来例のように多数の面ファスナーを取り付ける必要がないので、作業手間が減少して製造コストを抑えることができるという種々の優れた効果を奏する。
【００１１】
また、シート材の表面には、模様、絵柄、又は着色が施されている構成としたことによって、様々なデザインのブックカバーを提供することができるいう優れた効果を奏する。
【図面の簡単な説明】
【００１２】
【図１】本考案に係るブックカバー１１の内側を示す平面図である。
【図２】本考案に係るブックカバー１１の折り曲げた状態を説明する斜視図である。
【考案を実施するための形態】
【００１３】
次に、本考案の実施の形態について図面を参照しながら説明する。まず、図１において、符号１１はブックカバーを示し、このブックカバー１１は、矩形状のシート材１２で形成され、上下に位置する長辺部１３、１３と、両端に位置する短辺部１４ａ、１４ｂとを有している。
【００１４】
ブックカバー１１の寸法は、一例を上げると、文庫本サイズに対応させる場合は、高さ方向が約１７５ｍｍ程度であり、幅方向が約３１５ｍｍ程度であることが望ましい。なお、種々な規格の本の大きさに対応させて、高さ方向及び幅方向を様々な寸法に形成してもよいことは勿論である。
【００１５】
シート材１２は、具体的には不織布、布、紙材、あるいは合成樹脂製のシート材等の、適宜に折り曲げて使用できるシート状の材料である。
【００１６】
シート材１２の表面には、様々な模様、絵柄、又は着色が施されていることが望ましい。従って、多種類のお洒落なデザインのブックカバー１１を提供することができる。
【００１７】
シート材１２は、４辺の縁部を内側に折り返して折返し片１５、１６、１７、１８を形成し、この折返し片１５、１６、１７、１８がそれぞれ糸でシート材１２の内側に縫着されている。なお、図中符号１９はミシン目を示す。
【００１８】
一方の短辺部１４ａ側は、シート材１２を適宜幅内側に折り曲げて、当該折り曲げ部位２０の上下の縁部２０ａ、２０ｂを糸２１、２１で縫着して袋状部２２が形成されている。この袋状部２２は、本の表紙（又は裏表紙）を挿入する部位である。
【００１９】
長辺部１３は、前述の折返し片１５、１６が長手方向に沿って設けられている。また、長辺部１３は、折返し片１５、１６の内側において且つ他方の短辺部１４ｂ寄りに、適宜の長さで折り曲げ自在なワイヤー２３が配設されている。つまり、ワイヤー２３を縫い込んだ状態で糸で縫着しているのである。
【００２０】
次に、以上のように構成されるブックカバー１１の折り曲げた状態について説明する。袋状部２２に本（図示せず）の表紙（又は裏表紙）を挿入し、ブックカバー１１を背表紙を介して裏表紙（又は表紙）に渡って取り付ける。そして、ブックカバー１１の他方の短辺部１４ｂ側を、裏表紙（又は表紙）の先端部に合わせて内側に折り曲げると共に、長辺部１３のワイヤー２３を指で押さえて折り曲げる。ワイヤー２３は、ブックカバー１１の折り曲げ形状を維持するので、当該ブックカバー１１が本から脱落し難い構造となるのである。ワイヤー２３は、折り曲げ自在なので、厚さの異なる別の本に取り付けることが可能である。
【符号の説明】
【００２１】
１１  ブックカバー
１２  シート材
１３  長辺部
１４ａ、１４ｂ  短辺部
１５、１６、１７、１８  折返し片
１９  ミシン目
２０  折り曲げ部位
２０ａ、２０ｂ  縁部
２１  糸
２２  袋状部
２３  ワイヤー
【図１】
0003161613.tif 000003
【図２】
0003161613.tif 000004